(57)【要約】【課題】スレーブ機器として未定義機器が選択された場合でも、ディスプレイ装置側で機器の情報を把握でき、機器のコントロールができるようにする。【解決手段】ディスプレイ装置１は、ユーザが定義済み機器を選択したときは、定義済み機器に対応した既定画面を表示する。未定義機器が選択されたときは、汎用画面１５を用意しておき、未定義機器から送信される機器情報を当てはめて表示する。これにより、従来は、画面表示部に表示できなかった機器名称１６、機器状態１７、機能釦１８などの機器情報を表示できる。したがって、ディスプレイ装置側から聞き状態の確認、機器の操作ができるようになる。【選択図】　　　図５
2004062073.tif 000002
【特許請求の範囲】
【請求項１】
複数のスレーブ機器がディスプレイ装置に接続されたディスプレイシステムにおいて、
前記スレーブ機器の内、前記ディスプレイ装置にとって未定義のスレーブ機器が、前記ディスプレイ装置に対して自己の情報を送信する手段を有し、
前記ディスプレイ装置は、定義済みのスレーブ機器が選択されたときは、記憶してある既定画面を表示し、未定義スレーブ機器が選択されたときは、その未定義スレーブ機器から受信した情報を、汎用の画面に当てはめて表示する画面管理手段を有すること、
を特徴とするディスプレイシステム。
【請求項２】
前記未定義のスレーブ機器が送信する情報は、スレーブ機器の機器名称、機能状態、機能釦の個数、機能釦の名称の内の少なくとも１つである請求項１に記載のディスプレイシステム。
【請求項３】
前記未定義のスレーブ機器が送信する情報は機能釦であり、前記画面管理手段は、表示した機能釦が操作されたときは、その機能釦に対応するコマンドを、該当のスレーブ機器に送信し、
前記スレーブ機器は、受信したコマンドに従って動作をする、
請求項２に記載のディスプレイシステム。
【請求項４】
前記ディスプレイシステムが車両内に搭載されるものであって、前記未定義機器は、車両室内に配置された撮像装置である請求項１に記載のディスプレイシステム。
【請求項５】
複数のスレーブ機器が接続されるディスプレイ装置であって、
定義済みのスレーブ機器の情報を表示するための既定画面と未定義機器の情報を表示するための汎用画面を記憶した記憶部と、
スレーブ機器とデータの送受信を行う送受信部と、
前記定義済みのスレーブ機器が選択されたときは、その装置に対応する既定画面を表示し、前記未定義のスレーブ機器が選択されたときは、前記送受信部で受信した情報を、前記汎用の画面に当てはめて表示する画面管理部と、
を具備することを特徴とするディスプレイ装置。
【請求項６】
前記汎用画面は、スレーブ機器から受信した機能釦を表示するものであって、前記画面管理部は、１つの機能釦が選択されたときは、選択された機能釦に対応するコマンドを、前記送受信部から該当のスレーブ機器に送信する請求項５に記載のディスプレイ装置。
【請求項７】
前記画面管理部は、装置自体又は前記スレーブ機器からのメッセージを前記画面上に表示し、このメッセージの表示時間をユーザの操作に応じて可変とする請求項５又は６に記載のディスプレイ装置。
【発明の詳細な説明】
【０００１】
【発明の属する技術分野】
本発明は、複数のスレーブ機器がディスプレイ装置に接続されて構成されるディスプレイシステムに関する。
【０００２】
【従来の技術】
ディスプレイシステムの例として、車両用ディスプレイ装置に、カーナビゲーション機器、オーディオ機器などのスレーブ機器が、車内ＬＡＮにより接続される車載システムがある。
このような車載システムでは、複数のスレーブ機器の内、ユーザにより１つの機器が選択されると、その機器の機器名称、機能状態、機能釦、機能釦の名称がディスプレイ装置に表示される。
【０００３】
図１は、スレーブ機器としてＣＤチェンジャが選択されたときに、ディスプレイ装置に表示される画面を示す。
ここには、機器名称として「ＣＤチェンジャ」、機能状態として「ディスク番号、トラック番号、経過時間」が表示されている。また、機能釦として、ディスク選択スイッチ群、及び操作スイッチ群がその名称と共に表示されている。
【０００４】
このような画面は、既定画面１４として、機器ごとに、あらかじめディスプレイ装置に記憶されている。ディスプレイ装置は、ユーザによりＣＤチェンジャを選択する操作がされると、記憶部からＣＤチェンジャ用の既定画面１４を抽出して画面表示部に表示をする。また、ＣＤチェンジャから受信する情報を既定画面１４中の所定箇所に表示する。
【０００５】
また、ディスプレイ装置は、画面上に表示された機能釦がユーザにより操作されると、操作された釦に対応するコマンドをＣＤチェンジャに送信する。ＣＤチェンジャは受信したコマンドに応じた機能の動作を開始する。この機能状態は、ディスプレイ装置に送信されて、既定画面１４内に表示される。
【０００６】
上記既定画面は、車載システムに接続されることが予定されているスレーブ機器に対して用意されている。本明細書では、このようなスレーブ機器を「定義済み機器」という。
これに対して、車載システムに接続されることが予定されていない機器がある。本明細書ではこのようなスレーブ機器を「未定義機器」と言う。未定義機器の例としては、その車載システム専用の機器ではない汎用の機器、車載システムの設計時には予想もしていなかった機器などがある。
【０００７】
このような未定義機器に対しては既定画面を用意しておくことができない。したがって、ディスプレイ装置には、未定義機器が接続された場合のための補助画面が用意される。
図２に、補助画面を示す。この補助画面には「ＡＵＸ（補助）」「外部機器を演奏しています」などの固定された文字だけが表示される。
【０００８】
【発明が解決しようとする課題】
従来のディスプレイシステムにおいては、未定義機器が選択された場合、ディスプレイ装置には、未定義機器の名称などの機能情報が表示されず、ディスプレイ装置側で未定義機器の状態確認ができなかった。このため、未定義機器の状態確認には、機器側の表示部により確認しなければならない。
【０００９】
また、機能釦の表示ができないので、ディスプレイ装置側から未定義機器のコントロールをすることができなかった。このため、未定義機器の操作には専用リモコンを用いなければならなかった。スレーブ機器のコントロールにリモコンを使用することは、保管場所の確保や管理などが困難となる。
【００１０】
本発明は、スレーブ機器が接続されるディスプレイシステムにおいて、スレーブ機器として未定義機器が選択された場合であっても、ディスプレイ装置側で機器の情報を把握できるようにすることを目的とするものである。
さらに、本発明は、スレーブ機器が接続されるディスプレイシステムにおいて、スレーブ機器として未定義機器が選択された場合であっても、ディスプレイ装置側で接続機器のコントロールができるようにすることを目的とするものである。
【００１１】
【課題を解決するための手段】
本発明は、上記目的を達成するためになされたものである。本発明のディスプレイシステムは、複数のスレーブ機器がディスプレイ装置に接続されて構成される。
【００１２】
ディスプレイ装置は、ユーザにより定義済みのスレーブ機器が選択されたときは、記憶してある既定画面を表示する。そして、スレーブ機器から送信されてくる情報を既定画面に表示する。また、既定画面にある機能釦が操作されると、対応するコマンドを該当のスレーブ機器に送信する。
【００１３】
一方、未定義のスレーブ機器が選択されたときは、汎用画面を記憶部から抽出し、未定義機器から受信した情報を汎用画面に当てはめて表示する。未定義機器から受信する情報としては、機器名称、機能情報、機能釦などがある。
これにより、未定義機器であっても、ディスプレイ装置の画面にその情報を表示することができる。また、機能釦を操作することにより、ディスプレイ装置から未定義機器のコントロールをすることが可能となる。
【００１４】
【発明の実施の形態】
本発明の実施形態について図を用いて説明をする。
図３は、本発明を適用した車載システムの構成を示す。
ディスプレイ装置１に、車内ＬＡＮ２を介して、複数の車載機器（定義済み機器）３が接続される。車内ＬＡＮ２には、更に、複数の予備端子５が設けられる。未定義機器４は予備端子５により車内ＬＡＮ２に接続される。
【００１５】
図４を用いて、ディスプレイ装置１の構成を説明する。
ディスプレイ装置１は、画面表示部６、タッチスイッチ７、ハードウェアスイッチ８、システム管理部９、スイッチ管理部１０、記憶部１１から構成される。
【００１６】
システム管理部９、スイッチ管理部１０は、共通のＣＰＵ又は別個のＣＰＵ内により構成される。
システム管理部９は、画面管理部１２と外部機器管理部１３を含む。画面管理部１２により作成された画面が、画面表示部６に表示される。外部機器管理部１３が車内ＬＡＮ２と接続される。
【００１７】
スイッチ管理部１０にタッチスイッチ７及びハードウェアスイッチ８が接続される。スイッチ管理部１０は、タッチスイッチ７、ハードウェアスイッチ８の開閉状態をシステム管理部５に送信する。
ハードウェアスイッチ８は、画面表示部６の周囲に配置される。ハードウェアスイッチ８は、押しボタンスイッチにより構成され、車載機器３、４ごとに１つ設けられる。
【００１８】
画面表示部６は、タッチパネルを含む液晶画面により構成され、タッチスイッチ７は、タッチパネル内に形成される。
記憶部１１に、定義済み機器３に対する既定画面１４と、未定義機器４に対する汎用画面１５が記憶されている。既定画面１４については、図１を用いて説明済みである。
【００１９】
図５に汎用画面１５の例を示す。
汎用画面１５には、機器名称表示部１６、機器状態表示部１７、釦名称及び釦状態表示部１８が表示される。釦名称及び釦状態表示部１８として、任意の個数が用意され、各釦名称及び釦状態表示部１８はタッチスイッチ７と対応して配置される。
【００２０】
図６、図７を用いて、ディスプレイ装置１における、車載機器３、４の情報表示ための動作を説明する。
＋Ｂ、ＡＣＣがオンされると、図６の処理が開始される。
外部機器管理部１３により、車内ＬＡＮ２に車載機器３、４が接続されているか否かが判定される（ステップＳ１）。接続がされていなければ図６の処理を終了する。
【００２１】
接続機器があれば（ステップＳ１のＹｅｓ）、その中に未定義機器４があるか否かを判定する（ステップＳ２）。なければ、定義済み機器を記憶部１１に登録して（ステップＳ３）処理を終了する。なお、以上の動作は、従来のものと変わるところはない。
未定義機器４が接続されていれば（ステップＳ２のＹｅｓ）、システム管理部９は、記憶部１１に未定義機器のアドレスを登録する（ステップＳ４）。なお、このとき、定義済み機器３も検知されていれば、ステップＳ３の登録も行う。
【００２２】
ディスプレイ装置１の電源がオンされると、図７の処理が開始される。
ユーザは、電源オンに続いて、ハードウェアスイッチ８を操作することにより、画面表示部６に表示させたい車載機器を選択する。選択された車載機器はスイッチ管理部１０により検知され、システム管理部１０に通知される。
選択された車載機器が未定義機器であるか否かが判定される（ステップＳ１１）。
【００２３】
定義済み機器４である場合（ステップＳ１１のＮｏ）、ステップＳ１２へ進んで、定義済み機器４の操作を行う。この操作は、従来のものと同様である。すなわち、画面管理部１３が、選択された定義済み機器３の既定画面１４（図１）を画面表示部６に表示する。また、外部機器管理部１３で受信した機器状態、釦状態を既定画面１４内に表示する。ユーザが機能釦を操作すると、スイッチ管理１０がこれを検知し、機能釦に応じたコマンドを外部機器管理部１３から該当の機器に送信する。
【００２４】
選択された機器が未定義機器である場合（ステップＳ１１のＹｅｓ）、システム管理部９は、記憶部１１に登録してあるアドレスを用いて、外部機器管理１３を介して、選択された未定義機器４に機器情報の有無を問い合わせる（ステップＳ１３）。
【００２５】
未定義機器４が機器情報を持たない場合（ステップＳ１３のＮｏ）は、ステップＳ１４へ進み、機器情報の取得をせずに処理を終了する。未定義機器４が本例のシステムに対応したものでない場合は、ディスプレイ装置１からの問い合わせに対して機器情報の応答をしない。この場合は、未定義機器４の機器情報はディスプレイ装置１側に表示されない。また、選択された未定義機器４の操作は、その機器のリモコンを使用して行うことになる。
【００２６】
未定義機器４が機器情報を持つ場合（ステップＳ１３のＹｅｓ）、ステップＳ１５で、未定義機器４に機器情報の送信を依頼し、機器情報を取得する。取得する機器情報としては、機器名称、機器状態、釦情報がある。機器名称は、例えばＣＤチェンジャである。機器状態（ステータス）は、機器の動作状態を示すものである。釦情報としては、数、表示位置、サイズ、名称、状態がある。
【００２７】
機器情報を取得すると、画像管理部１２が、記憶部１１から汎用画面１５（図５）を抽出し、取得した機器情報を汎用画面１５に当てはめて画面表示部６に表示する（ステップＳ１６）。
これにより、ユーザは、未定義機器４であっても、機器情報を画面上で確認することができる。
【００２８】
ユーザは、タッチスイッチ７を操作する（釦表示部分にタッチする）ことにより、未定義機器４の操作をすることができる（ステップＳ１７）。タッチスイッチが操作されると、スイッチ管理部１０により操作された釦が識別され、システム管理部９によりこの釦に対応するコマンドが、外部機器管理部１３から、未定義機器４に送信される。
【００２９】
コマンドを受信すると、未定義機器４はそのコマンドに応じた動作を行い、動作状態をディスプレイ装置１に対して送信する。
画面管理部１２は、受信した機器情報を汎用画面１５に当てはめて表示をする（ステップＳ１８）。以後は、タッチスイッチ７の操作があれば、ステップＳ１７、Ｓ１８の処理を、ほかの車載機器が選択されるまで繰り返す。
【００３０】
本例によれば、未定義機器４であっても、画面表示部６に機器状態を表示し、画面表示部６のタッチスイッチを操作することにより、機器動作を制御することができる。したがって、ユーザの操作性を向上させることができる。
【００３１】
ディスプレイ装置１においては、既定画面１４又は汎用画面１５を表示しているときに、その画面上にメッセージを重ねて表示することがある。
図８は、既定画面１４又は汎用画面１５の上にメッセージ１９が表示され、タイムアウト時間の経過後、メッセージ１９が消える状況が表示されている状態を示す。
【００３２】
メッセージ１９の内容は、ディスプレイ装置１及び車載機器３、４の操作案内、エラー内容などがある。このメッセージ１９は、あらかじめ設定されている項目が設定された条件が満たされたときに、設定された時間（タイムアウト時間）だけ表示される。このメッセージの設定は、ユーザ側では設定できないようになっていた。
【００３３】
このため、ユーザから、メッセージの表示時間が長すぎる、あるいは、表示はいらない、などの不満が出ることがある。これに対し、以下説明するように、メッセージ表示の設定を可能とすることにより、ユーザの不満を解消することができる。
【００３４】
図９、図１０を用いて、メッセージ表示の設定をする場合の処理を説明する。
ディスプレイ装置１の電源がオンされると、図９の処理が開始される。
外部機器管理部１３により、車内ＬＡＮ２に接続されている車載機器３、４に対して、メッセージ表示機能を搭載しているか否かが問い合わせられる。その回答に基づいて、メッセージ表示機能を有する機器があるか否かが判定される（ステップＳ３１）。なければ、図９の処理を終了する。
【００３５】
メッセージ表示機能を有する機器があれば（ステップＳ２１のＹｅｓ）、タイムアウト時間が設定されているか否かが判定される（ステップＳ２２）。なければ、図９の処理を終了する。
タイムアウト時間が設定されていれば（ステップＳ２２のＹｅｓ）、タイムアウト時間の設定が可能となっているか否かが判定される（ステップＳ２３）。可能でなければ、図９の処理を終了する。なお、「タイムアウト時間の設定」には、表示の有無（タイムアウト時間０）が含まれる。
【００３６】
タイムアウト時間の設定が可能であれば（ステップＳ２３のＹｅｓ）、メッセージ表示機能を搭載し、その表示時間の設定が可能と判定された車載機器のアドレスを記憶部１１に記憶して図９の処理を終了する。
【００３７】
ユーザは、メッセージ表示時間を変更しようとするときは、所定のタッチスイッチ７又はハードウェアスイッチ８を操作する。これにより、図１０の処理が開始され、画面表示部６にメッセージ表示時間カスタマイズ用の画面（図示省略）が表示され、ユーザに対する操作案内がされる。
【００３８】
ユーザは、タッチスイッチ７又はハードウェアスイッチ８を操作して、タイムアウト時間の設定をしようとする車載機器を選択する。すると、システム管理部９により、この車載機器がメッセージ表示機能を搭載した機器であるか否かが判定される（ステップＳ３１）。この判定は、選択された車載機器が記憶部１１に登録されているか否かにより行われる。ここでメッセージ表示機能が搭載されていないと判定されれば、図１０の処理が終了される。
【００３９】
メッセージ表示機能を搭載した機器であれば（ステップＳ３１のＹｅｓ）、ステップＳ３２へ進む。ユーザは、案内画面に従って、タイムアウト時間設定の項目を選択する。すると、案内画面に、時間の設定方法を問い合わせる画面が表示される。ユーザがこれに応じて機能釦を操作すると、ユーザの選択が判定される（ステップＳ３３）。
【００４０】
ユーザがタイムアウト時間の任意入力を選択すると、タイムアウト時間を入力する画面が表示され、ユーザが希望の時間を入力する（ステップＳ３４）。この設定時間には、０（表示せず）が含まれる。任意入力を選択しなかった場合は、画面に「延長」「標準」「短縮」「削除」が表示される（ステップＳ３５）。ユーザはこれらのいずれかを機能釦により設定時間を選択する（本例の場合、４段階）。
【００４１】
タイムアウト時間の設定が済むと、車載機器に対して、タイムアウト時間設定の切り替えの指示が、外部機器管理部１３から該当の機器へ送信される。
以後は、図８に示したように、メッセージを表示する条件が満たされると、ディスプレイ装置自体又は車載機器からのメッセージが、画面表示部６に表示される。このとき、ユーザが非表示を選択していれば、メッセージの表示はされない。そして、ユーザが設定したタイムアウト時間が経過すると、メッセージは画面から消去される。
【００４２】
以上説明した車載システムによれば、未定義機器４が接続された場合であっても、ディスプレイ装置１の画面表示部６にその情報を表示することが可能になる。
未定義機器の１例として、ビデオカメラを車載システム追加する場合について説明をする。ビデオカメラは、後部座席の状況を撮影する場所に配置される。これにより、ビデオカメラが撮影した後部座席の状況、例えば、後部座席に乗せた子供の状況が画面表示部６に表示される。
【００４３】
このように、未定義機器４としてビデオカメラを採用することにより、ドライバは後ろを振り返ることなくその状況を把握することができる。
以上説明したように、車載システムの設計時には、予想していなかったビデオカメラを未定義機器４として接続した場合であっても、ユーザは、ディスプレイ装置１側で、機器情報確認ができ、機器の操作をすることができる。
【００４４】
なお、タッチスイッチ７及びハードウェアスイッチ８を操作することにより撮影画面の表示／非表示を切り替えるようにすることもできる。
【００４５】
【発明の効果】
本発明によれば、スレーブ機器が接続されるディスプレイシステムにおいて、スレーブ機器として未定義機器が選択された場合であっても、ディスプレイ装置側で機器の情報を把握することができるようになる。
さらに、本発明によれば、スレーブ機器が接続されるディスプレイシステムにおいて、スレーブ機器として未定義機器が選択された場合であっても、ディスプレイ装置側で接続機器のコントロールができるようになる。
【図面の簡単な説明】
【図１】従来及び本発明のディスプレイ装置の既定画面を示す図である。
【図２】従来のディスプレイ装置における未定義機器用の画面を示す図である。
【図３】本発明のディスプレイシステムの構成を示す図である。
【図４】図３のディスプレイ装置の構成を示す図である。
【図５】図４のディスプレイ装置で使用される汎用画面を示す図である。
【図６】図４のディスプレイ装置の車載機器情報表示の動作（その１）を示すフローチャートである。
【図７】図４のディスプレイ装置の車載機器情報表示の動作（その２）を示すフローチャートである。
【図８】図４のディスプレイ装置の、メッセージが表示された画面を示す図である。
【図９】図４のディスプレイ装置のメッセージ設定動作（その１）を示すフローチャートである。
【図１０】図４のディスプレイ装置のメッセージ設定動作（その２）を示すフローチャートである。
【符号の説明】
１…ディスプレイ装置
２…車内ＬＡＮ
３…車載機器（定義済み機器）
４…車載機器（未定義機器）
５…予備端子
６…画面表示部
７…タッチスイッチ
８…ハードウェアスイッチ
９…システム管理部
１０…スイッチ管理部
１１…記憶部
１２…画面管理部
１３…外部機器管理部
１４…既定画面
１５…汎用画面
１６…機器名称表示部
１７…機器状態表示部
１８…釦名称及び釦状態表示部
１９…メッセージ
【図１】
2004062073.tif 000003
【図２】
2004062073.tif 000004
【図３】
2004062073.tif 000005
【図４】
2004062073.tif 000006
【図５】
2004062073.tif 000007
【図６】
2004062073.tif 000008
【図７】
2004062073.tif 000009
【図８】
2004062073.tif 000010
【図９】
2004062073.tif 000011
【図１０】
2004062073.tif 000012